(57)【特許請求の範囲】
【請求項１】
アッパーケースとロアケースとからなると共に、施解錠用キー部材の基部が取り付けられ、かつＩＤコード発生回路を収納するケースと、前記アッパーケース内に静電気放電用のアース端子手段を介して嵌め込まれた防水カバーとを備え、前記アース端子手段は、前記アッパーケースの凹状内部を前後方向にほぼ全長に亘って延びる延長部と、この延長部の前端からキー部材の基部に接触又は近接する方向に延びる先端片部と、前記延長部の後端から前記アッパーケースの後端内壁面に沿って内部幅方向に延びる尾翼片部からなることを特徴とする電子符号錠用キー。
【請求項２】
前記アース端子手段は、ＩＤコード発生回路を避けて配置されてなることを特徴とする請求項１記載の電子符号錠用キー。
【請求項３】
前記アース端子手段の延長部は、ケースの内部底面に接して当該ケースの前後方向に延びるアース中央片部からなり、前記アース端子手段の先端片部は、前記アース中央片部の前端に屈曲形成され、前記ケースの前部内壁面に沿ってキー部材との接触方向に延びる前端屈曲片部とからなることを特徴とする請求項１記載の電子符号錠用キー。
【請求項４】
前記アース端子手段は、ケースの内部周面における施解錠用キー部材の基部取付側とは反対側の後端内壁面に沿った方向に延びる後端片部を有し、この後端片部には前記ケースの後端内壁面に沿って当該ケースの内部幅方向に延びる正面略Ｔ字状の尾翼片部が屈曲形成されているとともに、前記延長部は、前記後端片部の両端から前記ケースの両側内壁面に沿った方向に延びる両側片部からなり、前記先端片部は、前記両側片部の先端から前記ケースの前部内壁面に沿って前記キー部材との接触方向に延びる尖端形状の前端片部からなることを特徴とする請求項１記載の電子符号錠用キー。
【請求項５】
前記アース端子手段の前端片部は、前記延長部の両側片部の先端間に連続形成され、ケースに取り付けられた施解錠用キー部材の基部に近接又は接触配置されてなることを特徴とする請求項４記載の電子符号錠用キー。
【請求項６】
前記アース端子手段の前端片部は、前記延長部の両側片部の先端間に連続形成され、ケースの前部内壁面に沿って施解錠用キー部材の基部との接触方向に延びる前端翼片部を前記前端片部の先端間に連続して立ち上げ形成してなることを特徴とする請求項４記載の電子符号錠用キー。
【発明の詳細な説明】
【０００１】
【発明の属する技術分野】
この発明は、例えば車両のドアやトランクの施錠装置をロック又はアンロックする電子符号錠用キーに係わり、特に静電気対策を施した電子符号錠用キーに関するものである。
【０００２】
【従来の技術】
従来のこの種の電子符号錠用キーは、車両に搭載された錠をロック又はアンロックするためのキー部材を一体に有するアッパーケースと、このアッパーケース内に防水カバーを介して収納されたＩＤコード発生回路（回路基板）と、このＩＤコード発生回路に実装されたロック及びアンロック用のスイッチと、前記防水カバーに形成されて前記アッパーケースに表出させたロック及びアンロック用のスイッチ押圧部と、前記アッパーケースの開放端面に接合されたロアケースとを備えた構成となっている。そして、前記アッパーケースとロアケースとによってキー把持部が構成され、このキー把持部の末端側にはキーホルダが取付可能となっている。
【０００３】
かかる電子符号錠用キーの使用に際し、前記ロック用のスイッチ押圧部をプッシュすると、前記ＩＤコード発生回路から車両側ユニットにＩＤコードが伝送され、そのＩＤコードを車両側の電子制御回路（ＩＤコード解読回路）が解読し、解読結果のＩＤコードが電子制御回路の設定ＩＤコードと等しければ電子符号錠を作動させてドアロックし、また、前記アンロック用のスイッチ押圧部をプッシュすると、前記ＩＤコード発生回路から伝送されたＩＤコードを車両側の電子制御回路が同様に解読して電子符号錠をアンロック作動させるものである。なお、アッパーケースに取付けられたキー部材は従来から用いられている山谷の刻削除されたもので、その山谷がシリンダ側に設けられた山谷とが一致するか否かによって施解錠するものである。
【０００４】
【発明が解決しようとする課題】
従来の電子符号錠用キーは以上のように構成されているので、例えば冬期の空気が乾燥した中でのキー操作等に際して、人体に静電気が発生すると、この静電気は本来ならば、キー把持部の表面及びキー部材を伝ってその先端から相手側車体に放電されるが、前記キー把持部は、アッパーケースとロアケースとを接合させた構成となっているため、キー把持部の末端に取付けられたキーホルダを指でつまんで持ちながらキー操作を行おうとした場合、人体に発生した静電気が、キー把持部の表面を通らずにキーホルダの金属リングを伝ってアッパーケースとロアケースとの接合面間からケース内部を通ってキー部材に流れ込むために回路基板が放電路になってしまい、その結果、キー把持部に内蔵されたＩＤコード発生回路の実装電子部品（ＩＣ等）が前記静電気で損壊してしまうという課題があった。
【０００５】
そこで、電子符号錠用キーの静電気対策として、キー把持部の表面に発生した静電気をキー部材に導いて放電させるためのアース端子をアッパーケースに内蔵させることが考えられる。しかしながらこのようなものは現存しない。
【０００６】
この発明は上記のような課題を解決するためになされたもので、キー把持部を構成するケースの表面から内部に侵入する静電気に起因したＩＤコード発生回路の損壊を防止できる電子符号錠用キーを得ることを目的とする。
【０００７】
また、この発明は、ケース内部に侵入した静電気を施解錠用キー部材にスムーズに導くことができる電子符号錠用キーを得ることを目的とする。
【０００８】
さらに、この発明は、ケース内部に侵入した静電気がＩＤコード発生回路に流れるのを阻止して静電気放電性能を一層向上させることが可能な電子符号錠用キーを得ることを目的とする。
【０００９】
さらに、この発明は、ケース内部に侵入した静電気を施解錠用キー部材に対し一層確実に導くことが可能な電子符号錠用キーを得ることを目的とする。
【００１０】
さらに、この発明は、乾燥地域等で発生する高電圧の静電気がケース内部に侵入した場合であっても、その高電圧の静電気をスムーズ、かつ確実に放電させることが可能となり、高電圧の静電気に起因したＩＤコード発生回路の損壊を確実に防止することが可能な電子符号錠用キーを得ることを目的とする。
【００１１】
さらに、この発明は、キー把持部に内蔵されたアース端子手段と施解錠用キー部材との電気的接触状態を一層確実に維持できて信頼性をさらに向上させることが可能な電子符号錠用キーを得ることを目的とする。
【００１２】
【課題を解決するための手段】
この発明に係る電子符号錠用キーは、アッパーケースとロアケースとからなると共に、施解錠用キー部材の基部が取り付けられ、かつＩＤコード発生回路を収納するケースと、前記アッパーケース内に静電気放電用のアース端子手段を介して嵌め込まれた防水カバーとを備え、前記アース端子手段は、前記アッパーケースの凹状内部を前後方向にほぼ全長に亘って延びる延長部と、この延長部の前端からキー部材の基部に接触又は近接する方向に延びる先端片部と、前記延長部の後端から前記アッパケースの後端内壁面に沿って内部幅方向に延びる尾翼片部からなることを特徴とする。
【００１４】
この発明に係る電子符号錠用キーのアース端子手段は、ＩＤコード発生回路を避けて配置したものである。
【００１５】
この発明に係る電子符号錠用キーのアース端子手段は、ケースの内部底面に接して当該ケースの前後方向に延びるアース中央片部と、このアース中央片部の前端に屈曲形成され、前記ケースの前部内壁面に沿ってキー部材との接触方向に延びる前端屈曲片部と、前記アース中央片部の後端に屈曲形成され、前記ケースの後部内壁面に沿って当該ケースの内部幅方向に延びる尾翼片部とからなって平面略Ｔ字状に形成されてなるものである。
【００１６】
この発明に係る電子符号錠用キーのアース端子手段は、ケースの内部周面における施解錠用キー部材の基部取付側とは反対側の後端内壁面に沿った方向に延びる後端片部と、この後端片部の両端から前記ケースの両側内壁面に沿った方向に延びる両側片部と、この両側片部の先端から前記ケースの前部内壁面に沿って前記キー部材との接触方向に延びる尖端形状の前端片部とを備え、前記後端片部は、前記ケースの後部内壁面に沿って当該ケースの内部幅方向に延びる正面略Ｔ字状の尾翼片部を有してなるものである。
【００１７】
この発明に係る電子符号錠用キーにおいて、アース端子手段の前端片部は、当該アース端子の両側片部の先端間に連続形成され、ケースに取り付けられた施解錠用キー部材の基部に近接又は接触配置されてなるものである。
【００１８】
この発明に係る電子符号錠用キーにおいて、アース端子手段の前端片部は、当該アース端子の両側片部の先端間に連続形成され、ケースの前部内壁面に沿って施解錠用キー部材の基部との接触方向に延びる前端翼片部を有してなるものである。
【００１９】
【発明の実施の形態】
実施の形態１．
図１はこの発明の実施の形態１による電子符号錠用キーの外観を示す平面図、図２は図１のＡ−Ａ線断面図、図３は図２の分解断面図、図４は図３中のアッパーケースのキー取付部付近の拡大断面図、図５は図３中のアッパーケースを内側から見た斜視図、図６（ａ）は図５のアッパーケースのアース端子取付要部を示す拡大図、図６（ｂ）は図６（ａ）の右側面図、図７は図６（ａ）のＢ−Ｂ線に沿う拡大断面図、図８はこの発明の実施の形態１による電子符号錠用キーに適用するアース端子の斜視図である。図において、１は車両に搭載された施錠装置をロック（施錠）及びアンロック（解錠）する導電性のキー部材、１ａはキー部材１の基部であり、この基部１ａは、図５および図６（ａ）に点線で示すように幅広に形成されている。２はキー部材１の基部１ａが埋め込まれた樹脂製のアッパーケースであり、このアッパーケース２は、内部が断面凹状に形成され、かつ表面に開口するロック用操作窓２１とアンロック用操作窓２２とを有している。２３はアッパーケース２の凹状開放端面に突設した枠状壁、２４はキー部材１の基部１ａの中央部に設けられてアッパーケース２の凹状開放端面の前端側壁面に穿設されたネジ孔、２５はアッパーケース２の後端側に設けられたキーホルダ取付穴、２６はアッパーケース２の後端外壁部に設けられた係合突起、２７はアッパーケース２のキー部材１側における前端側内壁面の中間部に設けられたアース端子３取付用の内溝、２８は前記枠状壁２３に切欠形成されたアース端子３取付用の外溝であり、前記内溝２７と外溝２８はキー部材１の基部近傍で一連に形成され、前記アース端子３の先端部が収納されている。
【００２０】
３はアッパーケース２内に収納配置した静電気放電用のアース端子（アース端子手段）であり、このアース端子３はキー部材１の基部１ａに対し電気的に直接接続されてアッパーケース２内で前後方向に延びるもので、詳細な形状構成については後述する。
【００２１】
４はアッパーケース２内にアース端子３を介して嵌め込まれた防水カバーであり、この防水カバー４はアッパーケース２の内部断面形状に対応した凹状断面形状をなすゴム等の弾性部材からなり、アッパーケース２のロック用操作窓２１およびアンロック用操作窓２２に嵌め込まれたスイッチ押圧部４１，４２を有している。また、防水カバー４の凹状開放端面には外向鍔状縁部４３が一体形成されている。
【００２２】
５は防水カバー４内に配置した、ファンクションコードを含むＩＤコード発生回路（回路基板）であり、このＩＤコード発生回路５には、防水カバー４のスイッチ押圧部４１，４２にそれぞれの操作に連動するロック用およびアンロック用のスイッチ５１，５２が実装され、これらのスイッチ５１，５２を選択的にオンすることにより、ＩＤコード発生回路５がＩＤコードを発信し、このＩＤコードを車両側の電子制御回路（図示せず）が受信して解読し、その電子制御回路に予め設定された、基準ファンクションコードを含む基準ＩＤコードと前記ＩＤコード発生回路５からのＩＤコードとが一致した際に、車両側の電子符号錠をロック動作させたりアンロック動作させるものである。
【００２３】
６はアッパーケース２の凹状開放端面に着脱可能に嵌合固定される樹脂製のロアケース、６１はそのロアケース６の前端側に設けられたネジ取付孔、６２はロアケース６の後端側に設けられたキーホルダ取付穴、６３はそのキーホルダ取付穴６２の内壁面部に設けられた係合溝であり、この係合溝６３にアッパーケース２の係合突起２６が嵌め込み係合されている。７はロアケース６のネジ取付孔６１を介してキー部材１の基部ネジ孔２４に螺合された止めネジである。ここで、前記アッパーケース２とロアケース６は、施解錠用のキー部材１の基部１ａが取り付けられ、かつＩＤコード発生回路５を収納するケースを構成するものである。
【００２４】
次に、アース端子３の詳細な形状構成について説明すると、このアース端子３は、図５および図８に示すように、アッパーケース２の凹状内底面に接してその凹状内部を前後方向ほぼ全長に亘って延びる延長部としての細長薄板状のアース中央片部３１と、このアース中央片部３１の前端から約９０゜角で屈曲してアッパーケース２の内溝２７に嵌め込まれる前端屈曲片部３２と、この前端屈曲片部３２の先端からキー部材１との接続方向（アース中央片部３１と平行に、かつ反対方向に延びる）に屈曲してアッパーケース２の外溝２８に嵌め込まれる嘴状の先端片部３３と、アース中央片部３１の後端からアッパーケース２の後部内壁面に沿う方向へ約９０゜角で屈曲してアッパーケース２の内部幅方向に延びる尾翼片部３４とからなって、導電性の薄肉板バネ部材で平面ほぼＴ字状に形成されており、アース中央片部３１の中心線Ｌに対して平面展開形状が左右対称形状をなしている。
【００２５】
次に組立について説明する。
予めキー部材１の基部１ａが埋め込み結合されたアッパーケース２内にアース端子３を配置する。この場合、アッパーケース２の内溝２７にアース端子３の前端屈曲片部３２を、かつ、アッパーケース２の外溝２８にアース端子３の先端片部３３をそれぞれ嵌め込み係合させ、その先端片部３３の最先端部をネジ孔２４に臨ませると共に、アース端子３の中央片部３１をアッパーケース２の凹状内底面に接合させ、かつ、アース端子３の尾翼片部３４をアッパーケース２の後部内壁面に接合させた状態にアース端子３を組付ける。
【００２６】
次いで、ＩＤコード発生回路５が嵌め込みユニット化された防水カバー４をアッパーケース２内に嵌め込みセットする。この場合、防水カバー４のスイッチ操作部４１，４２をアッパーケース２のロック用操作窓２１およびアンロック用操作窓２２に係入させる。このように、防水カバー４をアッパーケース２内にセットし、防水カバー４の外向鍔状縁部４３を全周に亘って挟持することにより、アース端子３の先端片部３３が防水カバー４の外向鍔状縁部４３と前記アッパーケース２の凹状解放端面とで押え付けられた状態となる。
【００２７】
その状態でアッパーケース２の係合突起２６とロアケース６の係合溝６３とを係合させると共に、アッパーケース２の凹状開放端面にロアケース６を接合させることにより、アッパーケース２側のネジ孔２４とロアケース６側のネジ取付孔６１とを合致させ、そのネジ取付孔６１を介して前記ネジ孔２４に止めネジ７を螺合することにより、前記ネジ孔２４に臨んでいるアース端子３の先端片部３３が止めネジ７に接触する。したがって、アース端子３は止めネジ７を介してキー部材１の埋め込み基部１ａに対し電気的に直接接続された状態となる。そして、止めネジ７の締め付けにより、アッパーケース２とロアケース６とが一体的に合体され、それらのアッパーケース２とロアケース６とによってキー把持部が構成された電子符号錠用キーの組立が終了する。
【００２８】
次に動作について説明する。
電子符号錠用キーの使用時において、使用者がキーホルダ取付穴２５，６２の近傍又はキーホルダ取付穴２５，６２に取り付けられたキーホルダの金属リング（図示せず）を指でつまんで持ち、キー部材１を車両に接触又は接近させた場合、使用者の衣服に静電気が発生していると、この静電気がキー把持部後端部をアッパーケース２とロアケース６との接合面間からキー把持部内に侵入しようとすると、その静電気は、アッパーケース２と防水カバー４との間のアース端子３に誘引され、このアース端子３を流れて止めネジ７を介しキー部材１に導かれることにより放電される。このように、静電気がアッパーケース２とロアケース６との接合面間から内部に侵入しても、その静電気は、防水カバー４の裏側のアース端子３を流れることにより、防水カバー４内部のＩＤコード発生回路５を避けてキー部材１に導かれるため、静電気によるＩＤコード発生回路５の損壊を確実に防止できる。
【００２９】
以上説明した実施の形態１によれば、アッパーケース２と防水カバー４との間に配置されたアース端子３の先端片部３３が止めネジ７によってキー部材１の基部１ａに対し電気的に直接接続されるように構成したので、アッパーケース２とロアケース６との接合面間からキー把持部内に侵入する静電気は、防水カバー４の裏側のアース端子３に流れ、防水カバー４内のＩＤコード発生回路５を避けてキー部材１に導かれるため、静電気によるＩＤコード発生回路５の損壊を確実に防止できるという効果がある。また、アース端子３はアッパーケース２の内部幅方向に延びる尾翼片部３４を有し、この尾翼片部３４がアッパーケース２の後部内壁面の略全面、換言すると、キーホルダ取付穴２５，６２の幅広な側壁に対応する壁面に接しているので、アッパーケース２とロアケース６とのキーホルダ側の接合面間から侵入する静電気を前記尾翼片部３４で確実に誘引してキー部材１に導くことができるという効果がある。
【００３０】
なお、上記実施の形態１では、アース端子３の先端片部３３をネジ孔２４に臨ませた状態で、そのネジ孔２４に螺合した止めネジ７を締め付けることにより、その止めネジ７を介してキー部材１の基部１ａにアース端子３を電気的に直接接続するように構成したが、止めネジ７の締め付けにより、アース端子３の先端片部３３をキー部材１の基部１ａに直接押し付け接続するようにしてもよく、この場合も同様の効果が得られる。
【００３１】
実施の形態２．
図９（ａ）はこの発明の実施の形態２による電子符号錠用キーのアース端子取付要部を示す裏面図、図９（ｂ）は図９（ａ）の右側面図、図１０は図９（ａ）のＣ−Ｃ線に沿う拡大断面図、図１１は図９（ａ）の斜視図であり、図１〜図８と同一部分には同一符号を付して重複説明を省略する。上記実施の形態１では、キー部材１の幅広基部１ａの全体をアッパーケース２の壁部に埋め込んだ構成としたが、この実施の形態２では、キー部材１の幅広基部１ａの末端面をアッパーケース２の前部内壁面に同一面状に露出させ、その幅広基部１ａの露出端面にアース端子３の前端屈曲片部３２を接触させると共に、上記実施の形態１によるアース端子３の先端片部３３およびその先端片部３３を嵌め込むアース取付用の外溝２８をそれぞれ不要化したものである。
【００３２】
ここで、上記実施の形態１の場合のように、アース端子３の先端片部３３をアッパーケース２のアース取付用の外溝２８に嵌め込む構造とした場合、嵌め込み易くする必要があるために、寸法精度に余裕を持たせる必要がある。それによって、その外溝２８の溝壁と前記先端片部３３との間に隙間が生じ、その隙間を防水カバー４で塞ぐことができないので、防水カバー４によるキー把持部の防水性能が低下する危惧があるが、この実施の形態２によれば、上記実施の形態１におけるアース端子３の先端片部３３およびその先端片部３３を嵌め込む外溝２８を不要化し、キー部材１の幅広基部１ａの露出端面にアース端子３の前端屈曲片部３２を接触（又は接近）させたことにより、防水カバー４の外向鍔状縁部４３を全周に亘って一様な力で抱えることができるので、上記実施の形態１の場合のような防水カバー４によるキー把持部の防水性能低下の危惧を解消できるという効果がある。また、キー部材１の基部１ａが幅広となっているので、その基部１ａに対するアース端子３の前端屈曲片部３２の接触位置が幅方向に位置ずれしても、その位置で前端屈曲片部３２が防水カバー４で押え付けられることにより、キー部材１とアース端子３の接触不良が生じるようなことはない。なお、上記キー部材１の幅広基部１ａの露出端面とアース端子３の前端屈曲片部３２との間に隙間を設ける場合には最大で１ｍｍ位である。
【００３３】
実施の形態３．
図１２はこの発明の実施の形態３によるアース端子の斜視図である。この実施の形態３では、上記実施の形態２によるアース端子３の前端屈曲片部３２の先端に幅広翼部３５を設け、この幅広翼部３５を上記実施の形態２におけるキー部材１の幅広基部１ａの露出端面に接触させるものであり、この実施の形態３によるアース端子３のその他の構成は上記実施の形態２と同一のため、その同一部分には同一符号を付して説明を省略する。
【００３４】
この実施の形態３によれば、アース端子３の前端屈曲片部３２の先端に幅広翼部３５を設け、この幅広翼部３５をキー部材１の幅広基部１ａの露出端面に接触させるように構成したので、キー部材１とアース端子３との接触面積が拡大し、それら両者の接触不良を一層確実に防止できるという効果がある。なお、前記実施の形態２，３においては、基部１ａの端部で全体的に露出させたが、中央部等の一部分であってもよい。
【００３５】
実施の形態４.
図１３はこの発明の実施の形態４による電子符号錠用キーの外観を示す側面図、図１４は図１３中のアッパーケースの縦断面図である。
前記実施の形態１から実施の形態３ではアース端子３をアッパーケース２とロアケース６との間に形成された空間の内壁面に沿うように外溝２８，内溝２７を設け、配置したが、この実施の形態では、アッパーケース２とロアケース６との合わせ面Ｍの周面に沿ってアース端子７１を配置し、その合わせ面Ｍに形成された隙間Ｓを外から見たときに、矢印Ｌの範囲内でアース端子７１の金属色がデザインとして見えるようにしたものである。
そのために、この実施の形態では、アッパーケース２のロアケース６との噛み合い部Ｂの外周面に外周溝７０を設け、その外周溝７０内にＣリング状に形成されたアース端子７１を一体成形して配置することによって、人体に発生した静電気をそのアース端子７１を通してキー部材１に放電することも可能である。換言すると、人体の衣服で発生した静電気が指先からアッパーケース２とロアケース６の表面に放電され、如何なる周面からケース内に入り込んでも、必ず合わせ面Ｍを通過することになり、静電気はキー部材１に誘導され、ＩＤコード発生回路５を通過することがない。
【００３６】
実施の形態５．
図１５はこの発明の実施の形態５による電子符号錠用キーの分解断面図、図１６は図１５中のアッパーケース内にアース端子手段を組付けセットして当該アッパーケースを内側から見た一部切欠斜視図、図１７は図１５および図１６中のアース端子手段を拡大して示す斜視図、図１８（ａ）は図１７の平面図、図１８（ｂ），（ｃ）は図１８（ａ）の側面図，正面図であり、図１から図１２と同一または相当部分には同一符号を付して重複説明を省略する。
図１５，図１６において、１ｂはキー部材１の基部端面、２ａはアッパーケース２の内部周面におけるキー部材１の基部１ａ取付側となる前端内壁面であり、この前端内壁面２ａの略中央部に前記キー部材１の基部端面１ｂが露出している。２ｂは前記アッパーケース２の両側内壁面、２ｃは前記アッパーケース２の後端内壁面、２ｄは前記アッパーケース２の内底面中間部に設けられて前後方向に延びる溝部であり、この溝部２ｄの底部にはアース端子位置決め用の係合突起２ｅが設けられている。
【００３７】
一方、この実施の形態５によるアース端子３は、平面略コ字状に一体形成された極薄の金属片からなるもので、その詳細な形状構成は図１６〜図１８に示すように、前記アッパーケース２の後端内壁面２ｃに沿った方向に延びる後端片部３０と、この後端片部３０の両端から同一方向に屈曲し前記アッパーケース２の両側内壁面２ｂに沿って当該アッパーケース２内の前後方向に延びる両側片部３１ａ，３１ｂと、これらの両側片部３１ａ，３１ｂの先端から相対方向（前記キー部材１の基部端面１ｂとの接触方向）に屈曲延設された前端片部３２ａ，３２ｂとを備えている。ここで、前記後端片部３０の中間部には、前記両側片部３１ａ，３１ｂ間に向って一端部が部分的に延出し、かつ前記係合突起２ｅに嵌め込み係合させるための係合穴３０ｂを有する段差状の取付片部３０ａが屈曲形成され、この取付片部３０ａの他端部には、前記後端片部３０の外側近傍で立ち上がって前記アッパーケース２の内部幅方向に延びる正面Ｔ字状の尾翼片部３４が屈曲形成されている。また、前記前端片部３２ａ，３２ｂは、それぞれの先端側が漸次幅狭くなる尖鋭状に形成されている。なお、この実施の形態においては、前端片部３２ａ，３２ｂの先端の幅を０．７ｍｍに設定し、かつその間隔を２０ｍｍに設定しているが、その先端形状は角度が鋭角であればある程よいことは一般的に知られていることであるが、先端が尖った形状であると先端が曲がり易く、また組立上危険があるので、上述の如く先端部は角をおとした形状にされている。
【００３８】
次に組立について説明する。
まず、アッパーケース２の内部にアース端子３をセットするが、この場合、アース端子３の尾翼片部３４がアッパーケース２の後端内壁面２ｃに当接する向きにして当該アッパーケース２の溝部２ｄに前記アース端子３の取付片部３０ａを嵌合しながら、当該取付片部３０ａの係合穴３０ｂを前記溝部２ｄ底部の係合突起２ｅに係合する。これにより、アース端子３はアッパーケース２内の所定のセット位置に位置決めされる。この状態で上記実施の形態１の場合と同様に、ＩＤコード発生回路５がユニット化された防水カバー４をアッパーケース２内に嵌め込みセットした後、アッパーケース２の凹状開放端面との間で防水カバー４の外向鍔状縁部４３の全周を挟持するようにロアケース６を被せ、止めネジ７で締め付け固定することにより、前記アッパーケース２とロアケース６とによってキー把持部が構成された電子符号錠用キーの組立が終了する。
【００３９】
次に動作について説明する。
例えば、高電圧の静電気が発生しやすい乾燥地域での電子符号錠用キーの使用時において、上記実施の形態１の場合と同様に、使用者の衣服等に発生した静電気が、キー把持部の後端部においてアッパーケース２とロアケース６との接合面からキー把持部内（ケース内部）に侵入しようとすると、その静電気は、アッパーケース２と防止カバー４の外向鍔状縁部４３との間からアース端子３の尾翼片部３４に誘引され、次いでアース端子３の両側片部３１ａ，３１ｂを通って前端片部３２ａ，３２ｂの先端からキー部材１の基部端面１ｂに飛び誘引されることにより、そのキー部材１から放電される。
【００４０】
以上説明した実施の形態５によれば、アッパーケース２の内部に配置するアース端子３を、前記アッパーケース２の後端内壁面２ｃに沿った方向に延びる後端片部３０と、この後端片部３０の両端から前記アッパーケース２の両側内壁面２ｂに沿って前後方向に延びる両側片部３１ａ，３１ｂとからなる平面略コ字状に形成すると共に、前記後端片部３０の中間部には前記アッパーケース２の後端内壁面２ｃに沿って当該アッパーケース２の内部幅方向に延びる正面Ｔ字状の尾翼片部３４を立ち上げ形成し、かつ、前記両側片部３１ａ，３１ｂの先端には前記アッパーケース２の前端内壁面２ａに沿ってキー部材１の基部端面１ｂに向かう方向に延びる尖鋭状の前端片部３２ａ，３２ｂを形成するように構成したので、アッパーケース２とロアケース６との接合面間から当該ケース内部（キー把持部内）に侵入する静電気を、前記アッパーケース２の内部周面に沿った方向に延びる前記アース端子３によって、防水カバー４内のＩＤコード発生回路５の中央部に配置されたＩＣ５ａを避けながらキー部材１に確実に誘引させることが可能となる。なお、前記前端片部３２ａ，３２ｂ間はほぼ２０ｍｍに設定してあるが、この数値に限定されるものではなく、放電電圧又は前端片部３２ａ，３２ｂの先端形状によって設定されるもので、実験的には、２５０００Ｖの印加電圧で放電していることが確認されている。
【００４１】
すなわち、熱帯乾燥地域等では高電圧の静電気が発生しやすく、例えば、２００００Ｖ〜３００００Ｖ等の高電圧の静電気の場合、キー把持部を構成するケース内に侵入すると、ＩＤコード発生回路５が防水カバー４で保護されていても、その防水カバー４がＩＤコード発生回路５上のＩＣ５ａに近接配置されていると、ＩＣ５ａに放電電流が流れて当該ＩＣ５ａを損壊することがある。
【００４２】
しかるに、この実施の形態５によれば、キー把持部のケース内部に侵入する静電気が高電圧であっても、その静電気は、防水カバー４の裏側でアッパーケース２の内部周面に沿った方向に延びる前記アース端子３によって、ＩＤコード発生回路５のＩＣ５ａを避けながらキー部材１の基部端面１ｂに確実に導かれ、そのキー部材１から放電されるため、乾燥地域等で発生する高電圧の静電気に起因してＩＤコード発生回路５の損壊を確実に防止することが可能になるという効果がある。
また、アース端子３の前端片部３２ａ，３２ｂの先端がキー部材１の基部端面１ｂから離れていても、上記前端片部３２ａ，３２ｂの先端部はそれぞれ尖鋭状に形成されているため、その前端片部３２ａ，３２ｂからキー部材１の基部端面１ｂに向ってアース電流がスムーズに流れるという効果がある。
【００４３】
実施の形態６．
図１９はこの発明の実施の形態６によるアース端子手段を示す斜視図、図２０（ａ）は図１９の平面図、図２０（ｂ）および（ｃ）は図２０（ａ）の側面図および正面図であり、図１７および図１８と同一または相当部分には同一符号を付して重複説明を省略する。
図において、３２ｃはアース端子３における前端片部３２ａ，３２ｂの先端間に一体連続して立ち上げ形成された正面門形状の前端翼片部であり、この前端翼片部３２ｃはキー部材１の基部端面１ｂに近接又は接触位置に配置するものである。
すなわち、上記実施の形態５では、アース端子３の前端片部３２ａ，３２ｂを切り離してキー部材１の基部端面１ｂから離れた位置に配置するように構成したが、この実施の形態６では、アース端子３の前端片部３２ａ，３２ｂと、当該前端片部３２ａ，３２ｂ間で立ち上がる中央部の前端翼片部３２ｃとを一連に連続形成し、その前端翼片部３２ｃをキー部材１の基部端面１ｂに近接または接触配置するように構成したものである。
このように構成した実施の形態６によれば、アース端子３の前端翼片部３２ｃがキー部材１の基部端面１ｂに近接又は接触することにより、アース端子３からキー部材１に放電電流が一層スムーズに流れ、高電圧の静電気に起因したＩＤコード発生回路５を構成するＩＣ５ａの損壊を一層確実に防止することが可能になるという効果がある。なお、前記前端翼片部３２ｃは側面コ字状をなし、下側が凹状に形成されているので、ＩＤコード発生回路５を形成する電子部品が前記キー部材１の基部端面に接近して配置されている場合、それをまたいで前端翼片部３２ｃを配置することができる。
【００４４】
実施の形態７．
図２１はこの発明の実施の形態７によるアース端子手段を示す斜視図、図２２（ａ）は図２１の平面図、図２２（ｂ）および（ｃ）は図２１（ａ）の側面図および正面図であり、図１７から図２０との同一部分には同一符号を付して重複説明を省略する。
図において、３２はアース端子３における両側片部３１ａ，３１ｂの先端間に連続形成された前端片部、３２ｄはその前端片部３２の中央部に立ち上げ形成された正面矩形状の前端翼片部であり、この前端翼片部３２はキー部材１の基部端面１ｂに近接又は接触位置に配置するものである。
従って、この実施の形態７の場合も上記実施の形態６と同様の効果が得られる。
【００４５】
【発明の効果】
以上のように、この発明によれば、アッパーケースとロアケースとからなると共に、施解錠用キー部材の基部が取り付けられ、かつＩＤコード発生回路を収納するケースと、前記アッパーケース内に静電気放電用のアース端子手段を介して嵌め込まれた防水カバーとを備え、前記アース端子手段は、前記アッパーケースの凹状内部を前後方向にほぼ全長に亘って延びる延長部と、この延長部の前端からキー部材の基部に接触又は近接する方向に延びる先端片部と、前記延長部の後端から前記アッパーケースの後端内壁面に沿って内部幅方向に延びる尾翼片部からなる構成としたので、静電気がアッパーケースとロアケースとの接合面間からケース内部に侵入しても、その静電気は、防水カバーの裏側のアース端子手段を流れることによって、防水カバー内部のＩＤコード発生回路を避けてキー部材に導かれるため、静電気に起因したＩＤコード発生回路の損壊を確実に防止できるという効果がある。
また、アッパーケースとロアケースとのキーホルダ側の接合面間から侵入した静電気は、アッパーケースの後端内壁面に沿って内部幅方向に延びる尾翼片部からキー部材にスムーズに導くことができるという効果がある。
【００４７】
この発明によれば、ＩＤコード発生回路を避けてアース端子手段を配置するように構成したので、ケース内部に侵入した静電気がＩＤコード発生回路に流れるのを阻止することが可能となり、静電気放電性能が一層向上するという効果がある。
【００４８】
この発明によれば、アッパーケースの内部底面に接して当該アッパーケースの前後方向に延びるアース中央片部と、このアース中央片部の前端に屈曲形成され、前記アッパーケースの前部内壁面に沿ってキー部材との接続方向に延びる前端屈曲片部と、前記アース中央片部の後端に屈曲形成され、前記アッパーケースの後部内壁面に沿って当該アッパーケースの内部幅方向に延びる尾翼片部とにより、平面略Ｔ字状のアース端子を形成したので、そのアース端子の前端屈曲片部によってキー部材との電気的接続を容易に行うことができると共に、アッパーケースの内部幅方向に延びる尾翼片部によって、キー把持部末端側でアッパーケースとロアケースとの接合面から侵入する静電気を確実に誘引することが可能となり、信頼性が向上するという効果がある。
【００４９】
この発明によれば、アース端子手段は、ケースの内部周面における施解錠用キー部材の基部取付側とは反対側の後端内壁面に沿った方向に延びる後端片部と、この後端片部の両端から前記ケースの両側内壁面に沿った方向に延びる両側片部と、この両側片部の先端から前記ケースの前部内壁面に沿って前記キー部材との接触方向に延びる尖端形状の前端片部とを備え、前記後端片部は、前記ケースの後部内壁面に沿って当該ケースの内部幅方向に延びる正面略Ｔ字状の尾翼片部を有するように構成したので、乾燥地域等で発生する高電圧の静電気がケース内部に侵入した場合でも、その高電圧の静電気を前記ケースの内部周面に沿って施解錠用キー部材の基部に対しスムーズに導くことができ、このため、高電圧の静電気に起因したＩＤコード発生回路の損壊を確実に防止することが可能となって信頼性が大幅に向上するという効果がある。
【００５０】
この発明によれば、アース端子手段の前端片部を、当該アース端子の両側片部の先端間に連続形成し、ケースに取り付けられた施解錠用キー部材の基部に近接又は接触配置するように構成したので、ケース内部に侵入した高電圧の静電気を前記ケースの内部周面に沿って施解錠用キー部材の基部に対し一層スムーズに導くことができるという効果がある。
【００５１】
この発明によれば、アース端子手段の前端片部を、当該アース端子の両側片部の先端間に連続形成し、ケースの前部内壁面に沿って施解錠用キー部材の基部との接触方向に延びる前端翼片部を有する構成としたので、ケース内部に侵入した静電気を前記ケースの内部周面に沿って施解錠用キー部材の基部に対し確実に導くことが可能となり、静電気放電性能がさらに向上して信頼性が一層向上するという効果がある。
【図面の簡単な説明】
【図１】この発明の実施の形態１による電子符号錠用キーの外観を示す平面図である。
【図２】図１のＡ−Ａ線断面図である。
【図３】図２の分解断面図である。
【図４】図３中のアッパーケースのキー取付部付近の拡大断面図である。
【図５】図３中のアッパーケースの内側から見た斜視図である。
【図６】図６（ａ）は図５中のアッパーケースのアース端子取付要部をを示す拡大裏面図、図６（ｂ）は図６（ａ）の右側面図である。
【図７】図６（ａ）のＢ−Ｂ線に沿う拡大断面図である。
【図８】この発明の実施の形態１による電子符号錠用キーに適用するアース端子の斜視図である。
【図９】図９（ａ）はこの発明の実施の形態２による電子符号錠用キーのアース端子取付要部を示す裏面図、図９（ｂ）は図９（ａ）の右側面図である。
【図１０】図９（ａ）のＣ−Ｃ線に沿う拡大断面図である。
【図１１】図９（ａ）の斜視図である。
【図１２】この発明の実施の形態３によるアース端子の斜視図である。
【図１３】この発明の実施の形態４による電子符号錠用キーの外観を示す側面図である。
【図１４】図１３中のアッパーケースの縦断面図である。
【図１５】この発明の実施の形態５による電子符号錠用キーの分解断面図である。
【図１６】図１５中のアッパーケース内にアース端子手段を組付けセットして当該アッパーケースを内側から見た一部切欠斜視図である。
【図１７】図１７は図１５および図１６中のアース端子手段を拡大して示す斜視図である。
【図１８】図１８（ａ）は図１７の平面図、図１８（ｂ）は図１８（ａ）の側面図、図１８（ｃ）は図１８（ａ）の正面図である。
【図１９】この発明の実施の形態６によるアース端子手段の斜視図である。
【図２０】図２０（ａ）は図１９の平面図、図２０（ｂ）は図２０（ａ）の側面図、図２０（ｃ）は図２０（ａ）の正面図である。
【図２１】この発明の実施の形態７によるアース端子手段の斜視図である。
【図２２】図２２（ａ）は図２１の平面図、図２２（ｂ）は図２２（ａ）の側面図、図２２（ｃ）は図２２（ａ）の正面図である。
【符号の説明】
１  キー部材
１ａ  基部
１ｂ  基部端面
２  アッパーケース
２ａ  前端内壁面
２ｂ  両側内壁面
２ｃ  後端内壁面
２ｄ  溝部
２ｅ  係合突起
３，７１  アース端子
４  防水カバー
５  ＩＤコード発生回路
６  ロアケース
７  止めネジ
２１  ロック用操作窓
２２  アンロック用操作窓
２３  枠状壁
２４  ネジ孔
２５  キーホルダ取付穴
２６  係合突起
２７  アース端子３取付用の内溝
２８  アース端子３取付用の外溝
３０  後端片部
３０ａ  取付片部
３０ｂ  係合穴
３１  アース中央片部
３１ａ，３１ｂ  両側片部
３２  前端屈曲片部
３２ａ，３２ｂ  前端片部
３２ｃ  前端翼片部
３３  嘴状の先端片部
３４  尾翼片部
３５  幅広翼部（実施の形態３）
４１，４２  スイッチ押圧部
４３  外向鍔状縁部
５１，５２  スイッチ
６１  ネジ取付孔
６２  キーホルダ取付穴
６３  係合溝
７０  外周溝（実施の形態４）
７１  アース端子
Ｂ  噛み合い部（実施の形態４）
Ｍ  合わせ面（実施の形態４）
Ｓ  隙間
【図１】
0004169901.tif 000002
【図２】
0004169901.tif 000003
【図３】
0004169901.tif 000004
【図４】
0004169901.tif 000005
【図５】
0004169901.tif 000006
【図６】
0004169901.tif 000007
【図７】
0004169901.tif 000008
【図８】
0004169901.tif 000009
【図９】
0004169901.tif 000010
【図１０】
0004169901.tif 000011
【図１１】
0004169901.tif 000012
【図１２】
0004169901.tif 000013
【図１３】
0004169901.tif 000014
【図１４】
0004169901.tif 000015
【図１５】
0004169901.tif 000016
【図１６】
0004169901.tif 000017
【図１７】
0004169901.tif 000018
【図１８】
0004169901.tif 000019
【図１９】
0004169901.tif 000020
【図２０】
0004169901.tif 000021
【図２１】
0004169901.tif 000022
【図２２】
0004169901.tif 000023